(57)【要約】【課題】破袋作業がスムーズに行われて袋詰まりが起こらず、且つ、処理後の袋を自動的に確実に回収することができる袋分離回収機能を備えた破袋機を提供することを課題とする。【解決手段】搬送面に多数の下刃を突設した下刃付きコンベア３を昇り傾斜状態に設置し、前記下刃付きコンベア３の下部上方にゴミ袋投入用ホッパー２を配設し、また前記下刃付きコンベア３の上半部上に引掛け爪付きチェーン３１を添設し、前記下刃付きコンベア３の上端部下方に収納物回収部４４を配置すると共に、前記下刃付きコンベア３の前方に垂直方向に循環するメッシュコンベア４２を配設し、更に、前記収納物回収部４４上を横切って前記メッシュコンベア４２に向けてエアを吹付けるブロワー４３を設置して成る。【選択図】　　　　図１
2004097920.tif 000002
【特許請求の範囲】
【請求項１】
コンベアによる搬送中に破袋作業を行なう破袋機の前記コンベアの進行端部に、垂直方向に循環するメッシュコンベアを配設すると共に、前記コンベアの進行端から落下する袋の落下路を横切るように前記メッシュコンベアに向けてエアを吹き付けるブロワーを設置して成る袋分離回収機能を備えた破袋機。
【請求項２】
搬送面に多数の下刃を突設した下刃付きコンベアを昇り傾斜状態に設置し、前記下刃付きコンベアの下部上方にゴミ袋投入用ホッパーを配設し、また前記下刃付きコンベアの上半部上に引掛け爪付きチェーンを添設し、前記下刃付きコンベアの上端部下方に収納物回収部を配置すると共に、前記下刃付きコンベアの前方に垂直方向に循環するメッシュコンベアを配設し、更に、前記収納物回収部上を横切るように前記メッシュコンベアに向けてエアを吹付けるブロワーを設置して成る袋分離回収機能を備えた破袋機。
【請求項３】
前記引掛け爪付きチェーンの進行速度を前記下刃付きコンベアの進行速度よりも速くした請求項２に記載の袋分離回収機能を備えた破袋機。
【請求項４】
前記引掛け爪付きチェーンの引掛け爪を、進行端部において後方に回動可能にした請求項２又は３に記載の袋分離回収機能を備えた破袋機。
【発明の詳細な説明】
【０００１】
【発明の属する技術分野】
本発明は袋分離回収機能を備えた破袋機、より詳細には、回収してきた袋詰めされた空き缶や空きビン等を、再利用のために区分け処理するに当り、自動的に袋を切り開いて缶やビン等を取り出し、且つ、破いた袋を分離回収する袋分離回収機能を備えた破袋機に関するものである。
【０００２】
【従来の技術】
従来上記破袋作業は、カッターや鎌を用い、人手により行なわれることが多かったが、刃物を扱うので危険であり、また、一つ一つ手作業で破袋していくので効率が悪く、しかも破袋の際に缶やビン等が散乱して扱いにくかった。
【０００３】
そこで本発明者は、上記諸問題をすべて解決し、自動的に効率よく破袋作業を行なうことができる破袋機を提唱した（特開平９−９９９２８号公報）。この破袋機によれば、人手を煩わすことなく安全、自動的且つ連続的に、しかも切り損じなく、効率よく破袋作業を行なうことができる。
【０００４】
しかし、上記破袋機によった場合、一度に多くの袋を投入すると、袋は次々と上刃に向けて送られてくるため、袋が上下刃間に貯まって詰まるおそれがある。また、中身を取り出した後の袋の回収については、十分な措置が取られていない。
【０００５】
【発明が解決しようとする課題】
上述したように、上記従来の破袋機の場合には、未処理袋が上下刃間に詰まるおそれがあり、また、処理後の袋の回収措置が不十分という問題があったので、本発明はそのような問題のない、即ち、破袋作業がスムーズに行われて袋詰まりが起こらず、且つ、処理後の袋を簡単確実に回収することができる袋分離回収機能を備えた破袋機を提供することを課題とする。
【０００６】
【課題を解決するための手段】
上記課題を解決するための本発明に係る袋分離回収機能を備えた破袋機は、コンベアによる搬送中に破袋作業を行なう破袋機の前記コンベアの進行端部に、垂直方向に循環するメッシュコンベアを配設すると共に、前記コンベアの進行端から落下する袋の落下路を横切るように前記メッシュコンベアに向けてエアを吹き付けるブロワーを設置して成る。
【０００７】
本発明はまた、搬送面に多数の下刃を突設した下刃付きコンベアを昇り傾斜状態に設置し、前記下刃付きコンベアの下部上方にゴミ袋投入用ホッパーを配設し、また前記下刃付きコンベアの上半部上に引掛け爪付きチェーンを添設し、前記下刃付きコンベアの上端部下方に収納物回収部を配置すると共に、前記下刃付きコンベアの前方に垂直方向に循環するメッシュコンベアを配設し、更に、前記収納物回収部上を横切って前記メッシュコンベアに向けてエアを吹付けるブロワーを設置して成る袋分離回収機能を備えた破袋機、を以て上記課題を解決した。
【０００８】
好ましくは、前記引掛け爪付きチェーンの進行速度を前記下刃付きコンベアの進行速度よりも速くし、また、前記引掛け爪付きチェーンの引掛け爪を、進行端部において後方に回動可能にする。
【０００９】
【発明の実施の形態】
本発明の好ましい実施の形態につき、添付図面を参照しつつ説明する。図１は本発明に係る破袋機の正面図、図２はその平面図である。図中１はホッパー２を支持するホッパー架台であり、ホッパー２の下に下刃付きコンベア３が前上り傾斜状態に設置され、下刃付きコンベア３の上半部上に、引掛け爪付きチェーン３１が添設される。
【００１０】
ホッパー２のゴミ袋供出口は、下刃付きコンベア３の下部上方に開口させる。従って、ホッパー２に投入された袋は、下刃付きコンベア３上に落ち、下刃付きコンベア３によって次々と上方に搬送されていくことになる。
【００１１】
図３及び図４は下刃付きコンベア３の構成を示すものである（上記特開平９−９９９２８号公報記載のものと同じである）。下刃付きコンベア３はチェーンコンベアで構成され、前後のリンクプレート１７の端部同士をピン１８で連結し、左右のリンクプレート１７間にエプロン板２０を渡して固定する。
【００１２】
各エプロン板２０の両端には遮止壁２１を設置し、袋や袋から出たゴミがコンベア３から脱落しないよう配慮する。遮止壁２１はコンベア３の上方端及び下方端における折返し走行時に前後の遮止壁２１間に隙間ができないよう、直線走行時において隣接する遮止壁２１同士が一部オーバーラップするように構成する（図３参照）。
【００１３】
エプロン板２０には、適宜間隔置きに下刃取付板２２を立設してそれぞれに円形の下刃２３を取り付けたものと、下刃取付板２２を立設しないものとを用意し、それらを交互に配置する。そして、下刃取付板２２を立設するにものについては、隣接するもの同士、それぞれ下刃取付板２２の取付位置をコンベア３の幅方向にずらして配列する（図４参照）。かくして、袋がエプロン板２０上に乗りやすくなり、且つ、下刃２３による破袋効果が上がる。なお、下刃２３は、上刃２６と接触しないような位置関係に配列する。
【００１４】
上刃２６は、架台１に軸支された揺動軸２７に適宜間隔置きに並設され、揺動軸２７と一体となり、コンベア３の中間部上において連続的に揺動運動をする（図１参照）。揺動軸２７は、架台１に設置したモータブラケット２８上に据えられたモータ２９により、クランク機構３０を介して揺動回転駆動される。
【００１５】
図５は引掛け爪付きチェーン３１の構成を示すもので、該チェーン３１は、引掛け爪３２を設置した爪用リンクプレート３３と、各リンクプレート３３にピン結合されたバネ支持用リンクプレート３４を、適宜間隔置きに配置して成り、下刃付きコンベア３よりも進行速度を速めたものである（例えば、３倍の速度とする。）。
【００１６】
引掛け爪３２は、左右の爪用リンクプレート３３、３３間に設置された爪取付ブロック３５に、回動可能にして複数設置される。引掛け爪３２の中程には、引張りバネ３６の一端が固定される。引張りバネ３６の他端は左右のバネ支持用リンクプレート３４、３４間に設置されたバネ取付ブロック３７に固定される。引張りバネ３６は、常時引掛け爪３２を引張り、引掛け爪３２に一定圧以上の力が作用した場合に、引掛け爪３２が、図３において時計回り方向に回動することを許容する。そして、それに対する一定圧以上の作用力がなくなることにより、引掛け爪３２は、引張りバネ３６に引かれて元の状態に復帰する。
【００１７】
３８は、引掛け爪付きチェーン３１をカバーする側板間に渡された作用棒で、前進してくる引掛け爪３２の下部がこれに当たる結果、引掛け爪３２が図３において時計回りに回動する。チェーン３１が更に進行して引掛け爪３２が作用棒３８から外れると、引掛け爪３２は引張りバネ３６に引かれて元の状態に戻る。
【００１８】
図１に戻って、４１は、下刃付きコンベア３の前方に配備された袋分離回収部で、それは、垂直方向に循環するメッシュコンベア４２と、メッシュコンベア４２に向けてエアを吹き付けるブロワー４３とから成る。ブロワー４３は、袋内収納物５２の回収手段である排出コンベア４４上を横切ってメッシュコンベア４２にエアを吹き付けるように、下刃付きコンベア３の下側に配置される。
【００１９】
上記構成において、缶、ビン等の収納物５２を収納した袋５１が多数ホッパー２内に投入されると、袋５１は、上昇する下刃付きコンベア３に載って上方に搬送される。袋５１は、先ず揺動する上刃２６によって上方から切り開かれ、その際袋５１は、上刃２６によって加圧されると共にずり動かされることにより、下刃２３によって下方からも切り開かれてボロボロになる。
【００２０】
切り開かれた袋５１が更に上昇すると、これに、循環する引掛け爪３２が引掛かり、引掛け爪３２の進行速度が下刃付きコンベア３よりも、例えば３倍速いため、袋５１が急速に引掛け爪３２に引掛け上げられて、収納物５２を放出しつつ上方に引張られていく。従って、下刃付きコンベア３と引掛け爪付きチェーン３１との間に袋５１が詰まることはない。
【００２１】
袋５１から出た収納物５２は、下刃付きコンベア３の前端部から落下して排出コンベア４４上に落ち、図示せぬ選別処理部へ搬送される。一方、引掛け爪３２に引掛った袋５１は、引掛け爪３２が作用棒３８に当たって後方に回動するに伴ない、引掛け爪３２から外れて排出コンベア４４上に舞い落ちようとするが、その途中でブロワー４３によって吹き飛ばされ、下方に進行するメッシュネット４２に密着する。
【００２２】
メッシュネット４２に密着した袋５１は、メッシュネット４２に張り付いたまま下降し、ブロワー４３からのエアの影響がなくなったところでメッシュネット４２から脱落し、その下の回収箱４５内に回収される。メッシュネット４２から脱落せず、張り付いたまま裏側を上昇していく袋５１があっても、それに対してブロワー４３からのエアが、メッシュネット４２を通して作用するため、メッシュネット４２から引き離されて吹き飛ばされ、落下して回収箱４５内に回収される。
【００２３】
【発明の効果】
本発明は上述したとおりであって、破袋作業がスムーズに行われると共に、切り開かれた袋が下刃付きコンベアよりも十分に速く進行する引掛け爪に引掛けられて急速に引き上げられるので、袋がその部分に詰まることはなく、除袋作業を迅速且つ確実に行なうことができ、しかも、処理後の袋を自動的に確実に回収することができる効果がある。
【図面の簡単な説明】
【図１】本発明に係る破袋機の全体構成図である。
【図２】本発明に係る破袋機の平面図である。
【図３】本発明に係る破袋機における下刃付きコンベアの構成図である。
【図４】本発明に係る破袋機における下刃付きコンベアの下刃の配置例を示す図である。
【図５】本発明に係る破袋機における引掛け爪付きチェーンの構成図である。
【符号の説明】
１　　架台
２　　ホッパー
３　　下刃付きコンベア
１７　　リンクプレート
１８　　ピン
２０　　エプロン板
２１　　遮止壁
２３　　下刃
２６　　上刃
２７　　揺動軸
２８　　モータブラケット
２９　　モータ
３０　　クランク機構
３１　　引掛け爪付きチェーン
３２　　引掛け爪
３３　　リンクプレート
３４　　リンクプレート
３５　　爪取付ブロック
３６　　引張りバネ
３７　　バネ取付ブロック
３８　　作用棒
４２　　メッシュネット
４３　　ブロワー
４４　　排出コンベア
５１　　袋
５２　　収納物
【図１】
2004097920.tif 000003
【図２】
2004097920.tif 000004
【図３】
2004097920.tif 000005
【図４】
2004097920.tif 000006
【図５】
2004097920.tif 000007